(57)【特許請求の範囲】
【請求項１】
ボトルに装着されて、このボトルの開口部と連通しており、かつこの開口部より小さな内径でなる注ぎ口を備える第１のキャップ部と、この第１のキャップ部に固定されるとともに、第１のキャップ部の注ぎ口を塞ぐ中栓を備える第２のキャップ部とを有し、この第１のキャップ部と第２のキャップ部とを固定する構造において、
前記第１のキャップ部は、
全体が筒体で形成され、この筒体の外周付近に設けられると共に、上方に開放された開口部と、この開口部の少なくとも一部を囲むように前記筒体と同一の部材で一体形成された周壁とでなる挿入部と、
この挿入部の前記周壁に設けられた補強部と、
前記周壁に設けられた係合部と
を有しており、
前記第２のキャップ部は、
前記第１のキャップ部の一端を塞ぎ得る形状でなるキャップ本体と、
このキャップ本体の一部を薄肉にすることで設けた第１のヒンジ部と、 この第一のヒンジ部に連設され、一方向に延びる挿入用延長部と、
この挿入用延長部から、その延長方向と略直交する方向に突出させて設けた複数の突出部と
を有しており、
前記第１のキャップ部の挿入部に、前記第２のキャップ部の挿入用延長部を挿入し、前記係合部に、前記複数の突出部を係合させるように構成し、
さらに、前記補強部は、前記挿入部の開口部から、挿入方向に沿って前記周壁に一体に形成したリブ片でなることを特徴とする、キャップの固定構造。
【請求項２】
前記挿入部は、周囲を周壁で画成され、上下に連通した空間でなり、
前記リブ片は、前記挿入部の下部開口の中央に位置してこの開口を二分するように設けられ、
前記突出部は、前記二分された開口に対応してそれぞれ設けられていることを特徴とする、請求項１に記載のキャップの固定構造。
【請求項３】
前記リブ片は、前記挿入口の下部開口より下方まで延びていて、上向きの段部を有し、
この上向き段部に前記第２のキャップ部の挿入用延長部の下端が当接して、この挿入用延長部の下端を上向きに支持することを特徴とする、請求項２に記載のキャップの固定構造。
【請求項４】
前記挿入用延長部の複数の突出部は、この前記挿入用延長部の下端より上方に設けられ、
この前記挿入用延長部の下端より上方の位置で、挿入部の係合段部に係合されることを特徴とする、請求項２に記載のキャップの固定構造。
【請求項５】
前記複数の突出部は、前記挿入用延長部に形成した複数の係合爪であることを特徴とする、請求項２に記載のキャップの固定構造。
【請求項６】
前記補強部は、前記周壁の厚みを変化させることにより構成したことを特徴とする、請求項２に記載のキャップの固定構造。
【請求項７】
開口部を有するボトルと、
前記ボトルに装着されて、このボトルの前記開口部と連通しており、かつこの開口部より小さな内径でなる注ぎ口を備える第１のキャップ部と、この第１のキャップ部に固定されるとともに、第１のキャップ部の注ぎ口を塞ぐ中栓を備える第２のキャップ部とを有し、この第１のキャップ部と第２のキャップ部とを固定する構造において、
前記第１のキャップ部は、
全体が筒体で形成され、この筒体の外周付近に設けられると共に、上方に開放された開口部と、この開口部の少なくとも一部を囲むように前記筒体と同一の部材で一体形成された周壁とでなる挿入部と、
この挿入部の前記周壁に設けられた補強部と、
前記周壁に設けられた係合部と
を有しており、
前記第２のキャップ部は、
前記第１のキャップ部の一端を塞ぎ得る形状でなるキャップ本体と、
このキャップ本体の一部を薄肉にすることで設けた第１のヒンジ部と、この第一のヒンジ部に連設され、一方向に延びる挿入用延長部と、
この挿入用延長部から、その延長方向と略直交する方向に突出させて設けた複数の突出部と
を有しており、
前記第１のキャップ部の挿入部に、前記第２のキャップ部の挿入用延長部を挿入し、前記係合部に、前記複数の突出部を係合させるように構成し、
さらに、前記補強部は、前記挿入部の開口部から、挿入方向に沿って前記周壁に一体に形成したリブ片でなることを特徴とする、ボトル容器。
【発明の詳細な説明】
【０００１】
【発明の属する技術分野】
本発明は、例えば液体を収容したボトルに装着されるキャップに係り、特に２部材でなるキャップ同士の固定構造と、このようなキャップを利用したボトル容器に関するものである。
【０００２】
【従来の技術】
従来、例えば、シャンプーやリンス等の液体を収容したボトルに装着されるキャップの固定構造としては、種々のものが採用されている。
特に、収容した液体の注出しが便利であるように、ボトルの比較的大きな開口に対して、これより小さな径の開口を有する注ぎ出し用キャップ部を設けたものがある。
この注出し用キャップ部の小さな開口は、液体を所定量注出する場合に、使用上便利であり、この注ぎ出し用キャップに、さらに中栓を有する閉塞用キャップを固定し、中栓の部分を装着容易に構成したものがある。
【０００３】
【発明が解決しようとする課題】
このような注ぎ出し用キャップ部と、閉塞用キャップ部とを一体的に分離しないように組み付けて固定する場合には、特に組み付けの容易さを考慮して、接着剤等を用いないで固定する構造が採用されている。
しかしながら、この場合、注出し用と閉塞用とのキャップ部のうち、一方に係合片等を形成し、他方に係合孔等を有する比較的単純な構造のものが支配的である。
このため、係合片が破損したり、係合用の孔が、組み付け作業等に際して広がってしまうといった欠点に配慮した構成は検討されていなかった。
【０００４】
本発明は、以上の点に鑑み、組み付けが簡単であると共に、容易に破損することがないようにしたキャップの固定構造と、このようなキャップを利用したボトル容器を提供することを目的としている。
【０００５】
【課題を解決するための手段】
上記目的は、本発明によれば、ボトルに装着されて、このボトルの開口部と連通しており、かつこの開口部より小さな内径でなる注ぎ口を備える第１のキャップ部と、この第１のキャップ部に固定されるとともに、第１のキャップ部の注ぎ口を塞ぐ中栓を備える第２のキャップ部とを有し、この第１のキャップ部と第２のキャップ部とを固定する構造において、前記第１のキャップ部は、全体が筒体で形成され、この筒体の外周付近に設けられると共に、上方に開放された開口部と、この開口部の少なくとも一部を囲むように前記筒体と同一の部材で一体形成された周壁とでなる挿入部と、この挿入部の前記周壁に設けられた補強部と、前記周壁に設けらた係合部とを有しており、前記第２のキャップ部は、前記第１のキャップ部の一端を塞ぎ得る形状でなるキャップ本体と、このキャップ本体の一部を薄肉にすることで設けた第１のヒンジ部と、この第一のヒンジ部に連設され、一方向に延びる挿入用延長部と、この挿入用延長部から、その延長方向と略直交する方向に突出させて設けた複数の突出部とを有しており、前記第１のキャップ部の挿入部に、前記第２のキャップ部の挿入用延長部を挿入し、前記係合部に、前記複数の突出部を係合させるように構成し、さらに、前記補強部は、前記挿入部の開口部から、挿入方向に沿って前記周壁に一体に形成したリブ片でなるキャップの固定構造により、達成される。
【０００６】
また、好ましくは、前記挿入部は、周囲を周壁で画成され、上下に連通した空間でなり、前記リブ片は、前記挿入部の下部開口の中央に位置してこの開口を二分するように設けられ、前記突出部は、前記二分された開口に対応してそれぞれ設けられている。
【０００７】
さらに、前記リブ片は、前記挿入口の下部開口より下方まで延びていて、上向きの段部を有し、この上向き段部に前記第２のキャップ部の挿入用延長部の下端が当接して、この挿入用延長部の下端を上向きに支持する構成としてもよい。
【０００８】
また、前記挿入用延長部の複数の突出部は、この前記挿入用延長部の下端より上方に設けられ、この前記挿入用延長部の下端より上方の位置で、挿入部の係合段部に係合されるようにしてもよい。
【０００９】
さらに、前記複数の突出部は、前記挿入用延長部に形成した複数の係合爪で構成してもよい。
【００１０】
また、前記補強部は、前記周壁の厚みを変化させることにより、構成してもよい。
【００１１】
上記構成によれば、第１のキャップ部は筒体である本体の外形付近，つまり注ぎ口よりも偏心した位置に、第２のキャップ部を挿入するための挿入口を備えている。この挿入口は、周囲を第１のキャップと同一の部材で周壁を形成することで、構成され、この周壁には係合用の例えば段部を有している。
この挿入口に対しては、蓋体としての第２のキャップ部の挿入用延長部が挿入される。第２のキャップ部の挿入用延長部には複数の突出部があり、この挿入用延長部を第１のキャップの挿入口に挿入して固定する。
この場合、第１のキャップ側は、挿入部の周壁に補強部が形成されていることから、この挿入口が固定作業の際にかかる力などで変形したりすることがない。一方、第２のキャップ側は、挿入用延長部には複数の突出部があって、この複数の突出部が、挿入口の係合用段部に係合することから、係合が確実で、破損等によりその機能が失われることがない。
【００１２】
また、上記目的は、本発明によれば、開口部を有するボトルと、前記ボトルに装着されて、このボトルの前記開口部と連通しており、かつこの開口部より小さな内径でなる注ぎ口を備える第１のキャップ部と、この第１のキャップ部に固定されるとともに、第１のキャップ部の注ぎ口を塞ぐ中栓を備える第２のキャップ部とを有し、この第１のキャップ部と第２のキャップ部とを固定する構造において、前記第１のキャップ部は、全体が筒体で形成され、この筒体の外周付近に設けられると共に、上方に開放された開口部と、この開口部の少なくとも一部を囲むように前記筒体と同一の部材で一体形成された周壁とでなる挿入部と、この挿入部の前記周壁に設けられた補強部と、前記周壁に設けられた係合部と  を有しており、前記第２のキャップ部は、前記第１のキャップ部の一端を塞ぎ得る形状でなるキャップ本体と、このキャップ本体の一部を薄肉にすることで設けた第１のヒンジ部と、この第一のヒンジ部に連設され、一方向に延びる挿入用延長部と、この挿入用延長部から、その延長方向と略直交する方向に突出させて設けた複数の突出部とを有しており、  前記第１のキャップ部の挿入部に、前記第２のキャップ部の挿入用延長部を挿入し、前記係合部に、前記複数の突出部を係合させるように構成し、さらに、前記補強部は、前記挿入部の開口部から、挿入方向に沿って前記周壁に一体に形成したリブ片でなる、ボトル容器によっても達成される。
【００１３】
【発明の実施の形態】
以下、この発明の好適な実施形態を図１乃至図２を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
図１及び図２は、本発明によるキャップの固定構造の一実施形態が適用されるボトル容器の例を示している。
ボトル容器１０は、例えばシャンプー等の液体を収容する容器で、全体が合成樹脂で形成されている。このボトル容器１０は、液体を収容する容器本体であるボトル１１と、このボトルに装着されるキャップ２１、３１を備えている。
【００１５】
キャップは、ボトル１１に形成された比較的大きな開口を塞いで、その内容物である液体の注ぎ出し量を制限し、使用にともなう適量な注ぎ出し量を得るような注ぎ口を持つ第１のキャップ部２１と、このキャップ部２１の注ぎ口に中栓をして、内容物の流出を防止する蓋体である第２のキャップ部３１とでなっている。第１のキャップ部２１と第２のキャップ部３１とはヒンジにより開閉できるように互いに固定されている。第１のキャップ部２１と第２のキャップ部３１との固定の様子は、図７及び図８の各概略斜視図に示されている。
【００１６】
第１のキャップ部２１は、図４及び図５の各断面図に示されているように、上面がほぼ塞がれた有底筒体２２でなり、この筒体２２は、図５の正面から見た場合は、図４の側面から見た場合より大きく、水平断面（図示せず）が略楕円形でなっている。
筒体２２は、内部に第２の筒体２３を有し、この第２の筒体２３の外周は、ボトル本体１１の開口の内面に当接するようになっている。また、筒体２２の上面には、ボトル本体１１の開口よりはるかに小さな内径を有する注ぎ口２４が形成されている。この注ぎ口２４は、ボトル本体１１の開口と連通しており、ボトル本体１１の内容物である液体の流量を制限して、使用に適した量を注ぐことができるようになっている。
また、筒体２２の前面側に凹部２２ａが形成され、図７に示されているように、蓋体である第２のキャップ部３１を開閉し易いようになっている。
【００１７】
図５に示されているように、筒体２２の内部において、第２の筒体２３の外側には、先端がそれぞれ内側に付勢された弾性片２５，２５が設けられている。各弾性片２５，２５の先端２５ａ，２５ａはボトル本体のネック部に形成されている凸条１１ａを上方から乗り越えることによって、ボトル本体１１にはめ込まれるようになっている。これにより、第１のキャップ部２１は、ボトル本体１１のネック部に対して第２の筒体２３の外周と、弾性片２５，２５の矢印に示す方向に働く弾性力とによって、はさむようにして、固定される。
【００１８】
さらに、この第１のキャップ部２１は、図４に示すように、筒状の本体２２の外周付近に挿入口２６を有している。この実施の形態においては、挿入口２６は図において上下の方向に開放しており、筒体２２と同一の部材でなる周壁２７により、第１のキャップ２１内で上下に延びる空間が画成されている。
この挿入口２６は図７に示すように、後述する第２のキャップ部２１の挿入用延長部が挿入されるものである。図示されているように、ボトル容器の背面から見ると、この挿入口２６は、段部２６ａ，２６ａと、これらより下方へ凹状に形成した逃げ部２６ｂを有している。この挿入口２６の構成は後でさらに詳しく述べる。
【００１９】
第２のキャップ部３１は、図３の断面図及び図９の斜視図に示すように、伏せた碗状の本体３２と、この本体３２の中心よりややずれた位置に下方に突出して設けられた中栓３３と、本体３２の一端縁に設けられた挿入用延長部３５を備えている。
中栓３３は、下方に垂下して設けられた棒状の部分で、中心付近で長く延びる栓本体３３ａと、その外周を囲むように設けたやや短いストッパ部３３ｂとからなっている。図６に示されているように、第１のキャップ部２１に第２のキャップ部３１が固定された状態では、この中栓３３の中栓本体３３ａは第１のキャップ部２１の注ぎ口２４に対して上方から嵌入されて、これを塞ぐようになっている。このとき、ストッパ部３３ｂは、注ぎ口２４の周縁の段部２４ａに当接し、中栓本体３３ａが注ぎ口２４からさらにボトル本体１１側に入り込むことを規制するようになっている。
【００２０】
挿入用延長片３５は、本体３２の一端に形成された薄肉部であるヒンジ３６を介して、一方向に延びるように延長された長い板状である。挿入用延長片３５が延長された途中には、その延長方向と直交する方向に複数の突出部３７が設けられており、この場合、突出部３７は、図９に示すように２つの係合爪である。
したがって、挿入用延長片３５を図６に示すように、第１のキャップ部２１の挿入口２６に挿入して固定した状態では、第２のキャップ部３１は、ヒンジ３６により開閉できるようになっている。
さらに、図３及び図８によく表れているように、本体３２のやや中央よりの箇所と、上記挿入用延長片３５の基端側との間には、帯状部３８が、それぞれ薄肉ヒンジ部３８ａ，３８ｂを介して設けられている。この帯状部３８は、第２のキャップ部３１と一体に形成されている。
【００２１】
すなわち、帯状部３８は、合成樹脂材料により、所定の弾性を有しており、第２のキャップ部３１が図７（ｂ）の開き状態にあっては、蓋体である第２のキャップ部３１を開方向に付勢し、使用者が第２のキャップ部３１をこれより閉める方向に移動させると、この第２のキャップ部３１を閉める方向に付勢する。
尚、この帯状部３８は、第１及び第２のキャップ部を固定した状態にあっては図８（ｂ）に示すように、逃げ部２６ｂに収容され、挿入用延長片の各ヒンジ部３６，３６は、段部２６ａ，２６ａにそれぞれ載置される。
【００２２】
図１０及び図１１は、挿入用延長片３５と挿入口２６との要部を拡大して示している。
挿入口２６の周囲を囲む周壁２７には、図においてその中央の上下の方向に補強部としてのリブ片２９が一体に設けられている。リブ片２９は、周壁２７の下端よりもさらに下方にまで延長されており、その先端付近には段部２９ａを備えている。
一方、挿入用延長片３５は、挿入口２６の空間よりやや薄い肉厚の板状態で、その途中に上記したように突出部としての二つの係合爪３７ａ，３７ｂを有している。この係合爪３７ａ，３７ｂは、挿入用延長片３５の下端ではなく、これよりも上の部分に形成されている。そして各係合爪３７ａ，３７ｂはリブ片２９の厚みよりやや大きな間隔を有している。
【００２３】
これにより、図１０の矢印に示すように、挿入用延長片３５を挿入口２６に上方から挿入する。挿入用延長片３５の下端３５ａは、周壁２７の下部開口からさらに下方へつき抜けて、リブ片２９の上向き段部２９ａに上方から当接する。
すなわち、リブ片２９の上向き段部２９ａは、挿入口２６の下部開口の下方に位置する凸部となって挿入用延長片３５の下端３５ａに当接する。これによって、挿入用延長片３５の下端３５ａを上方へ支持して、これ以上、挿入用延長片３５が、下降しないように規制する。
一方、挿入用延長片３５のこれより上部に設けた２つの係合爪３７ａ，３７ｂは、図１１に示されているように、挿入口２６の下部開口から下へ抜けて、周壁２７の下向き段部２７ａに、それぞれ係合される。
これにより、挿入用延長片３５は、上方の移動が規制され、抜けないようになっている。
【００２４】
かくして、第１のキャップ部２１と第２のキャップ部３１とは、挿入口２６に挿入用延長片３５を挿入するだけの簡単な作業により固定される。
この場合、挿入口２６を構成する周壁２７には、補強部としてのリブ片２９が設けられていることから、組み立て作業に際して、挿入用延長片３５を多少乱暴に挿入しても、この周壁の形状が変形してしまったりすることなく、強固な固定構造となる。
さらに、上述のように、周壁２７に対して係合される係合爪は２つ設けられているので、そのうちのひとつが折れるなどして破損しても、固定構造に支障がなく、この点でも強固な固定構造となっている。
【００２５】
さらに、係合爪３７ａ，３７ｂは、挿入用係合片３５の下端３５ａより上方に位置して周壁２７に係合されているので、応力集中しにくく、さらに、下端３５ａは、周壁２７とは別に、リブ片２９の図１０において垂直な部分２９ｂに当接して支持される。
したっがって、この固定構造では、４点による強固な支持となり、その分、丈夫で確実な固定構造となっている。
【００２６】
尚、本発明は上述の形態に限定されない。例えば、突出部３７は、挿入用係合片３５の下端以外であれば、さらに上部に設けるようにしてもよい。また、突出部の数は２以上であれば、いくつ設けてもよく、また、係合爪ではなく、例えばボスを複数設けてもよい。
【００２７】
挿入口の周壁２７に設ける補強部２９は、リブ片でなくともよい。例えば周壁それ自体の厚みを場所により異ならせて、波板状にしたりして、剛性を向上させたり、多数のリブ片を設ける等種々の変形が可能である。
【００２８】
【発明の効果】
以上述べたように、本発明によれば、組み立てが簡単で、破損しにくい、丈夫な構造をもつキャップの固定構造と、このようなキャップを利用したボトル容器を提供することができる。
【図面の簡単な説明】
【図１】本発明の実施の形態によるキャップの固定構造が採用されるボトル容器を示す斜視図である。
【図２】本発明の実施の形態によるキャップの固定構造が採用されるボトル容器を示す斜視図である。
【図３】図１のボトル容器のキャップの固定構造に用いられる蓋体としての第２のキャップ部の構造を示す断面図である。
【図４】図１のボトル容器のキャップの固定構造に用いられる第１のキャップ部の構造を示す側面断面図である。
【図５】図１のボトル容器のキャップの固定構造に用いられる第１のキャップ部の構造を示す正面断面図である。
【図６】図１のボトル容器のキャップの固定構造に用いられる蓋体としての第２のキャップ部と第１のキャップ部との固定箇所を示す部分断面図である。
【図７】図１のボトル容器のキャップの固定構造を示す斜視図である。
【図８】図１のボトル容器のキャップの固定構造を示す斜視図である。
【図９】図１のボトル容器のキャップの固定構造に用いられる蓋体としての第２のキャップ部の概略斜視図である。
【図１０】図１のボトル容器のキャップの固定構造の一部を示す拡大斜視図である。
【図１１】図１のボトル容器のキャップの固定構造の一部を示す拡大斜視図である。
【符号の説明】
１０    ボトル容器
１１    ボトル本体
２１    第１のキャップ部
２２    筒体
２４    注ぎ口
２６    挿入口
２７    周壁
３１    第２のキャップ部
３２    本体
３３    中栓
３５    挿入用延長片
３６    ヒンジ
３７    突出部（係合爪）
３８    帯状部
【図１】
0003754477.tif 000002
【図２】
0003754477.tif 000003
【図３】
0003754477.tif 000004
【図４】
0003754477.tif 000005
【図５】
0003754477.tif 000006
【図６】
0003754477.tif 000007
【図７】
0003754477.tif 000008
【図８】
0003754477.tif 000009
【図９】
0003754477.tif 000010
【図１０】
0003754477.tif 000011
【図１１】
0003754477.tif 000012